(57)【特許請求の範囲】
【請求項１】
投光開口部を有する基体と、この基体にヒンジにより開閉可能に連結された開閉体とから構成された本体ケースと；
本体ケース内に収納される光源と；
本体ケース内に収納され、前記光源の照射光を反射する反射体と；
基体及び開閉体に係合され、かつ本体ケース内壁と反射体外壁との間であって、投光開口部の中心部とヒンジとを結ぶ直線に略直交し、かつ投光開口部の略中心部に交わる直線の延長方向の位置に配設されるとともに、開閉体が基体に対して所定角度開いたとき、その状態を保持するストッパ機構と；
を具備することを特徴とする照明器具。
【請求項２】
ストッパ機構は、ガイド部材と連結桿とを備え、連結桿は開閉体の開閉動作に従いガイド部材に案内されて移動することを特徴とする請求項1に記載の照明器具。
【請求項３】
ストッパ機構は、開閉体が基体に対して所定角度開いたとき、開閉体の重心が閉方向に作用するように保持することを特徴とする請求項１又は請求項２に記載の照明器具。
【請求項４】
請求項１乃至請求項３のいずれか一に記載の照明器具と；
この照明器具が取り付けられるポールと；
を具備することを特徴とする照明装置。
【発明の詳細な説明】
【技術分野】
【０００１】
本発明は、街路灯や道路灯等に適用される照明器具及び照明装置に関する。
【背景技術】
【０００２】
一般的に、街路灯等は、道路や街路等の地中内に立設された直線中空状のポールの上方に照明器具を取付け、照明を行っている。この種、街路灯等にあっては、照明器具を構成する上部ケースを下部ケースに対して、ヒンジにより開閉可能とし、上部ケースを下部ケースに対して開いた状態でランプの交換等のメンテナンスを行うようにしたものが実用化されている。そして、上部ケースを下部ケースに対して開いた状態で保持するストッパをポール受けが設けられたヒンジ近傍に設けたものが知られている（特許文献１参照）。
【０００３】
一方、ソケットを回動自在に軸着し、枠体を開くと連結腕を介してソケットが下方向に移動し、ランプの交換作業を行えるようにした照明器具の開閉構造が提案されている（特許文献２参照）。
【特許文献１】特開２０００−３２２９０３号公報
【特許文献２】特開平１１−１６２２４４号公報
【発明の開示】
【発明が解決しようとする課題】
【０００４】
しかしながら、特許文献１に示されたものは、ストッパは、ヒンジ近傍に設けられている。したがって、上部ケースを下部ケースに対して開き、上部ケースをストッパで保持した状態では、上部ケースの重量によるヒンジを中心とした回転モーメントの作用で、比較的大きな荷重がストッパに加わることとなる。よって、ストッパ自体の強度は勿論のこと、上部ケース及び下部ケースへのストッパの取り付け強度を高める必要がある。また、場合によっては、ストッパの強度不足に起因して上部ケースの保持状態での左右方向に対する揺れ動きについても安定性を欠くことを否定できないものであった。
【０００５】
さらに、特許文献２に示されたものは、枠体の開閉に連動してソケットが下方向に移動する構成が開示されているにとどまり、ケースをストッパで保持する構成やストッパの配設構造については何ら示されていない。
【０００６】
本発明は、上記諸問題を改善しようとするもので、開閉体が基体に対して所定角度開いたとき、その状態を保持するストッパ機構を、照明器具を構成する反射体等の要素との関係において、その機能を効果的に発揮し得る位置に配設したもので、強度的に有利で、かつ開閉体を開いた状態において、開閉体を安定して保持できる照明器具及び照明装置を提供することを目的とする。
【課題を解決するための手段】
【０００７】
請求項１に記載の照明器具は、投光開口部を有する基体と、この基体にヒンジにより開閉可能に連結された開閉体とから構成された本体ケースと、本体ケース内に収納される光源と、本体ケース内に収納され、前記光源の照射光を反射する反射体と、基体及び開閉体に係合され、かつ本体ケース内壁と反射体外壁との間であって、投光開口部の中心部とヒンジとを結ぶ直線に略直交し、かつ投光開口部の略中心部に交わる直線の延長方向の位置に配設されるとともに、開閉体が基体に対して所定角度開いたとき、その状態を保持するストッパ機構とを具備することを特徴とする。
【０００８】
本発明及び以下の発明において、特に指定しない限り用語の定義及び技術的意味は次による。光源は、ＨＩＤランプ、蛍光ランプ、無電極放電ランプのような放電ランプ、ハロゲンランプのような白熱電球やＬＥＤ等の固体発光素子等、いずれでも適用できる。基体は、固定側を指称し、開閉体は、基体に対し開閉する可動側を指称する。ストッパ機構は、開閉体の開閉動作に連動して動作するもの、開閉体の開閉動作には連動せずに人為的に手動で操作するもの（例えば、特許文献１に示された「ストッパ」）を含んでいる。ストッパ機構は、投光開口部の中心部とヒンジとを結ぶ直線に直交し、かつ投光開口部の中心部に交わる直線の延長方向の位置に配設されている。しかし、中心部、直線、直交等は、幾何学的な厳密さを意味するものではない。
【０００９】
請求項２に記載の照明器具は、請求項１に記載の照明器具において、ストッパ機構は、ガイド部材と連結桿とを備え、連結桿は開閉体の開閉動作に従いガイド部材に案内されて移動することを特徴とする。ここでのストッパ機構は、開閉体の開閉動作に連動して動作するものを意味している。
【００１０】
請求項３に記載の照明器具は、請求項１又は請求項２に記載の照明器具において、ストッパ機構は、開閉体が基体に対して所定角度開いたとき、開閉体の重心が閉方向に作用するように保持することを特徴とする。
【００１１】
請求項４に記載の照明装置は、請求項１乃至請求項３のいずれか一に記載の照明器具と、この照明器具が取り付けられるポールとを具備することを特徴とする。
【発明の効果】
【００１２】
本発明は、ストッパ機構を強度的に有利に構成でき、かつ開閉体を開いた状態において、その開閉体を安定して保持することができる。
【発明を実施するための最良の形態】
【００１３】
以下、本発明の照明器具及び照明装置の第１の実施形態について図１乃至図７を参照して詳細に説明する。図１は、街路灯を示す正面図、図２は、本体ケースを断面して示す側面図、図３は、ストッパ機構を示す斜視図、図４は、本体ケースの一部を断面し、分解して示す正面図、図５は、本体ケースの一部を分解して示す上面図、図６及び図７は、ストッパ機構の動作過程を説明するために本体ケースを断面して示す側面図である。図１において、街路灯は、本体ケース１と、取付手段２とから構成されている。本体ケース１内には、光源が設けられており、本体ケース１下面に形成された投光開口部を通じ、光源からの光が下方に照射されるようになっている。そして、取付手段２は、地中内に立設されたポール３上端に連結固定されるようになっている。
【００１４】
次に、図２において、本体ケース１は、アルミダイカスト製の基体１ａと開閉体１ｂとから構成されている。基体１ａは、取付手段２に固定され、開閉体１ｂは基体１ａに対し、開閉可動できるようになっている。なお、基体１ａと開閉体１ｂは、アルミダイカスト製に限定されるものではない。
【００１５】
基体１ａは、ほぼ円形浅皿状の形状をなしている。また、基体１ａには、ランプからの光を所定の領域に照射するため、円形の投光開口部４が形成されており、この投光開口部４には、透光性カバー５として強化ガラスがパッキンを介してねじ止め固定されている。さらに、基体１ａと開閉体１ｂは、それぞれその外周部において、ヒンジ１１によって互いに連結されており、このヒンジ１１の回転機構によって開閉体１ｂが基体１ａに対してヒンジ１１を中心として開閉可能となっている。開閉体１ｂは、下面が開放されたドーム状をなし、光源としてセラミックメタルハライドランプ６、反射板７等が設けられている。
【００１６】
ランプ６は、開閉体１ｂの内面のボス１ｂａにねじ止めされたランプソケット８により取着されている。反射板７は、上端平坦面７ａをなす椀状に形成され、その開放面が基体１ａの投光開口部４に対面するように取付けられている。具体的には、反射板７の上端平坦面７ａが開閉体１ｂの内頂面にねじ止めされることにより取付けられる。開閉体１ｂは、ヒンジ１１とは反対側を上側へ回動することにより、開閉体１ｂの内側が開放され、ランプ６の交換等のメンテナンス作業ができるようになっている。また、開閉体１ｂは、ヒンジ１１とは反対側の外周部をねじ（図示せず）により、基体１ａにパッキンを介して固定することにより、閉塞状態を維持するようになっている。この閉塞状態では、本体ケース１は、パッキン等で外部からの水気等の浸入を防止するように構成されている。なお、閉塞状態の維持をねじによらず、ラッチ等の係止手段を用いて係止するようにしてもよい。さらに、基体１ａと開閉体１ｂとから構成される本体ケース１内には、後述するストッパ機構２０が取り付けられている。
【００１７】
次に、取付手段２は、３本の支持アーム２ａ（図示上、１本を省略して示す、以下図６及び図７に同じ）とポール受け部２ｂとから構成されている。３本の支持アーム２ａは、中空状であり、ポール受け部２ｂの上部に各々約１２０度の角度をおいて上方に拡開するように固着されている。ポール受け部２ｂは、中空円筒状であり、ポール３の上端が挿入されて、ポール３に固定されるようになっている。また、このポール受け部２ｂには、ランプ６を点灯する点灯装置９が収納されている。続いて、基体１ａの支持アーム２ａへの取り付けは、各支持アーム２ａの上端部２ｃに基体１ａの外周部を当接し、基体１ａの内側からねじ１０によって固定することにより行われる。また、ランプ６と点灯装置９とを接続するリード線は、基体１ａに形成されたリード線通過孔、支持アーム２ａの中空部２ｄを経て配線される。
【００１８】
次に、ストッパ機構２０の構成について、主として図２乃至図７を参照して詳細に説明する。ストッパ機構２０は、ガイド部材２１と連結桿２２とから構成されている。ガイド部材２１は、正面形状がほぼ三角形状の主片２１ａと、この主片２１ａの底辺に連続して形成された取付片２１ｂとからなっている。そして、主片２１ａには、三角形状の傾斜長辺に沿ってガイド長孔２１ｃが形成されている。また、ガイド長孔２１ｃの終端部には、陥落部２１ｄが形成されている。このように構成されたガイド部材２１は、本体ケース１内側の基体１ａ上面側に取付片２１ｂをねじ止めして取り付けられる。連結桿２２は、棒状をなし、一端部に係合子２２ａが設けられている。この係合子２２ａは、ピン状であり、前記ガイド部材２１のガイド長孔２１ｃに摺動可能に、かつガイド長孔２１ｃから外れることのないように係合されている。また、連結桿２２の他端部は、開閉体１ｂの内側に設けられた連結桿取付片２２ｂに枢軸２２ｃにより回動自在に取り付けられている。
【００１９】
以上のように構成されたストッパ機構２０の配設位置について、図４及び図５を参照して説明する。図４は、本体ケース１の左半分を断面で示し、右半分は説明上重要ではない反射板部分等を省略して示している。図５は、開閉体１ｂの右半分を切欠き、基体１ａ側が現れるように描いている。図から明らかなように、ストッパ機構２０は、本体ケース１の内壁、すなわち、本実施形態では開閉体１ｂの内壁１ｂｂと反射体７の外壁７ｂ間に配設されている。因みに、このストッパ機構２０の配設位置は、照明器具を構成する基体１ａ、開閉体１ｂ、ランプ６、反射板７等の要素との関係において、スペースを有効に活用したものということができる。すなわち、基体１ａの投光開口部４の中心部とヒンジ１１とを結ぶ直線に直交し、かつ投光開口部４の中心部に交わる直線の延長方向の位置にストッパ機構２０が配置されている。この配置位置は、開閉体１ｂの内壁１ｂｂと反射体である反射板７の外壁７ｂ間のスペース（投光開口部４が形成されていない基体１ａの円環状部分）であり、ヒンジ１１と投光開口部４の中心部とを結ぶ直線に平行な方向に比較的広い配置スペースが形成されている。
【００２０】
次に、図６及び図７の参照を加えて、開閉体１ｂの開閉動作についてストッパ機構２０の動作とともに説明する。ランプ６の交換等のメンテナンス作業において、開閉体１ｂを基体１ａ対して開くが、まず、図２に示す状態では、開閉体１ｂは、ねじにより基体１ａに固定されているので、ねじを取り外す。そして、開閉体１ｂのヒンジ１１の対向端を把持し、ヒンジ１１を中心として、上側に回動する。すると、開閉体１ｂの回動に伴い、開閉体１ｂに取り付けられた連結桿２２が従属して動作する。具体的には、連結桿２２の係合子２２ａがガイド部材２１のガイド長孔２１ｃに案内されて、その軌道に沿い移動する（図６参照）。続いて、さらに開閉体１ｂを回動すると、連結桿２２の係合子２２ａがガイド長孔２１ｃの終端部に形成された陥落部２１ｄに入り込む。この状態では、連結桿２２が陥落部２１ｄによりロックされ、開閉体１ｂの回動方向の把持力を解いても、開閉体１ｂは重心を閉じる方向に作用させながら、開いた状態が保持される（図７参照）。
【００２１】
この開閉体１ｂが開いた状態で所定の作業を行い、作業終了後は、開閉体１ｂを閉じる操作を行う。まず、開いた状態の開閉体１ｂを片手で支えながら、陥落部２１ｃに入り込んだ連結桿２２の係合子２２ａのロックを外す。続いて、開閉体１ｂを閉じる方向に回動すると、この回動動作に伴い、前述とは逆の軌道で連結桿２２の係合子２２ａがガイド部材２１のガイド長孔２１ｃに案内されて元の位置に戻る。そして、基体１ａに対して開閉体１ｂを閉塞した状態で、再びねじにより開閉体１ｂを基体１ａに固定する。
【００２２】
以上説明してきたように、本実施形態によれば、ストッパ機構を本体ケース内壁と反射体外壁との間に配設したので、スペースを有効に活用でき、また、ストッパ機構はヒンジの近傍ではなく、ヒンジから離れた位置、すなわち本体ケースのほぼ中央位置まで離れて設けられているので、開閉体を開いた状態で支える重量を考慮すると、ストッパ機構を構成するに際し、強度的に有利となる。開閉体がダイカスト製等の重量物で構成されている場合には、一層効果的である。さらに、開閉体が開いた保持状態での左右方向に対する揺れ動きについても安定性を確保できる。また、開閉体は、開いて保持される状態において、その重心が開閉体が閉じる方向に作用するので、開閉体の重量が連結桿を経てガイド部材の取付片に加わることとなり、ガイド部材の基体への取り付け強度を減ずる方向には作用せず、この点においても有利となる。よって、ストッパ機構を強度的に有利に構成でき、かつ開閉体を開いた状態において、その開閉体を安定して保持することができる。
【００２３】
次に、本発明の第２の実施形態を図８及び図９を参照して説明する。図は、ストッパ機構を示す斜視図である。なお、第１の実施形態と同一又は相当部分には同一符号を付し、重複した説明は省略する。
【００２４】
（実施例１）図８に示すストッパ機構２０は、ガイド部材２１に形成されたガイド長孔２１ｃの終端部の陥落部２１０ｄをより深く形成したものである。これにより開閉体１ｂを開いた状態で保持する安定性が増し、作業中に不用意に開閉体１ｂが閉じてしまうような不具合が生じる可能性を一層少なくすることができる。
【００２５】
（実施例２）図９示すストッパ機構２０は、ガイド長孔２１ｃの終端部の陥落部２１１ｄをかぎ状に形成したものである。これにより開閉体１ｂを開いた状態で保持する安定性が一層増し、また、連結桿２２のロックを外すには、係合子２２ａを水平状部２１１ｅから垂直状部２１１ｆへと移動させて行うため、不用意にロックが外れてしまうようなことはなく、安全性を高めることができる。
【００２６】
（実施例３）図示は省略するが、ストッパ機構は、本体ケースの両側に設けるようにしてもよい。つまり、一対のストッパ機構を設けることにより、開閉体の開状態の保持の安定性を高めることができる。
【００２７】
次に、本発明の第３の実施形態を図１０を参照して説明する。図は、いわゆるアームタイプの街路灯を示す側面図である。なお、第１の実施形態と同一又は相当部分には同一符号を付し、その詳細な説明は省略する。図１において、街路灯は、本体ケース１と、アーム状の取付手段２とから構成されている。本体ケース１は、アルミダイカスト製の基体１ａと開閉体１ｂとから構成されており、開閉体１ｂは、基体１ａに対し、ヒンジ１１を中心として開閉可能となっている。また、本体ケース１内には、光源、反射体が設けられており、本体ケース１下面に形成された投光開口部４を通じ、光源からの光が下方に照射されるようになっている。そして、本体ケース１内には上述のストッパ機構２０が配設されている。本実施形態のようなアームタイプの街路灯にも、勿論、本発明は適用可能である。
【図面の簡単な説明】
【００２８】
【図１】本発明の照明装置の第1の実施形態を示す正面図である。
【図２】同第１の実施形態の本体ケースを断面して示す側面図である。
【図３】同第１の実施形態のストッパ機構を示す斜視図である。
【図４】同第１の実施形態の本体ケースの一部を断面し、分解して示す正面図である。
【図５】同第１の実施形態の本体ケースの一部を分解して示す上面図である。
【図６】同第１の実施形態のストッパ機構の動作過程を説明するために本体ケースを断面して示す側面図である。
【図７】同じく第１の実施形態のストッパ機構の動作過程を説明するために本体ケースを断面して示す側面図である。
【図８】同第２の実施形態のストッパ機構を示す斜視図である。
【図９】同じく第２の実施形態のストッパ機構を示す斜視図である。
【図１０】同第３の実施形態を示す側面図である。
【符号の説明】
【００２９】
１        本体ケース
１ａ      基体
１ｂ      開閉体
３        ポール
４        投光開口部
６        光源
７        反射体
１１      ヒンジ
２０      ストッパ機構
【図１】
0004957966.tif 000002
【図２】
0004957966.tif 000003
【図３】
0004957966.tif 000004
【図４】
0004957966.tif 000005
【図５】
0004957966.tif 000006
【図６】
0004957966.tif 000007
【図７】
0004957966.tif 000008
【図８】
0004957966.tif 000009
【図９】
0004957966.tif 000010
【図１０】
0004957966.tif 000011